【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
大当たりとなったときに行なえる単位遊技の回数であるラウンド数が複数設けられ、予め定められた各ラウンド数の選択確率に基づいて大当り毎にラウンド数を決定するように構成されたパチンコ遊技機を管理する遊技機データ管理装置であって、
前記パチンコ遊技機の遊技データを台毎に取得する遊技データ取得手段と、
前記遊技データ取得手段が取得した遊技データに基づいて、大当たり中の出玉数を導出する大当たり中出玉数導出手段と、
前記遊技機の大当たり時に遊技が行なわれたラウンド数を特定するラウンド数特定手段と、
前記ラウンド数特定手段によって特定されるラウンド数と、前記大当たり中出玉数導出手段によって導出される前記大当たり中の出玉数とに基づき、１ラウンドの前記単位遊技で遊技者が獲得すると推定される第１の平均出玉数を導出し、その第１の平均出玉数と前記パチンコ遊技機の理論上の平均ラウンド数とに基づいて、１回の大当たりにかかる第２の平均出玉数を導出する平均出玉数導出手段と、
導出した前記第２の平均出玉数を出力するデータ出力手段と、
を備えたことを特徴とする遊技機データ管理装置。
【請求項２】
前記ラウンド数特定手段は、前記大当たり中出玉数導出手段が導き出した前記大当たり中の出玉数が、ラウンド数ごとに設定された出玉範囲のいずれに属するかを判定することにより、大当たり時に実際に行なわれたラウンド数を特定するように構成されている請求項１記載の遊技機データ管理装置。
【請求項３】
大当たりとなったときに行なえる単位遊技の回数であるラウンド数が複数設けられ、予め定められた各ラウンド数の選択確率に基づいて大当り毎にラウンド数を決定するように構成されたパチンコ遊技機を管理する遊技機データ管理装置であって、
前記パチンコ遊技機の遊技データを台毎に取得する遊技データ取得手段と、
前記パチンコ遊技機の大当たり時に遊技が行なわれたラウンド数を特定するラウンド数特定手段と、
前記遊技データ取得手段が取得した遊技データと、前記パチンコ遊技機の理論上の大当たり確率とに基づいて、理論上の大当たり中以外の遊技データを導出する一方、前記遊技データ取得手段が取得した遊技データと、前記ラウンド数特定手段が特定した前記ラウンド数と、前記パチンコ遊技機の前記ラウンド抽選にかかる理論上の平均ラウンド数、或いは前記パチンコ遊技機の前記ラウンド抽選にかかる理論上の各ラウンド数の選択確率とに基づいて、理論上の大当たり中の遊技データを導出し、導出した前記理論上の大当たり中以外の遊技データと、前記理論上の大当たり中の遊技データとに基づいて、前記パチンコ遊技機の理論上の出玉率を導出する出玉率導出手段と、
導出した前記出玉率を出力するデータ出力手段と、
を備えたことを特徴とする遊技機データ管理装置。
【請求項４】
前記遊技データ取得手段は、前記パチンコ遊技機毎に遊技者に対して貸し出された玉数を表わす売上データを取得し、
前記遊技データ取得手段が取得した遊技データと、売上データと、前記パチンコ遊技機の理論上の大当たり確率、および前記パチンコ遊技機の前記ラウンド抽選にかかる理論上の平均ラウンド数、或いは前記パチンコ遊技機の前記ラウンド抽選にかかる理論上の各ラウンド数の選択確率とに基づいて、前記理論上の大当たり確率かつ平均ラウンド数で大当たりが発生した場合の補正売上データを導出する売上データ導出手段と、
売上データと遊技者が獲得した出玉数とに基づいて導出される景品データとの比率である割数を導出する割数導出手段とをさらに備え、
前記割数導出手段は、前記理論上の大当たり中以外の遊技データと、前記理論上の大当たり中の遊技データと、前記補正売上データとに基づいて、前記割数を導出する請求項３記載の遊技機データ管理装置。
【請求項５】
前記遊技データ取得手段が取得した遊技データに基づいて、前記大当たり中の出玉数を導出する大当たり中出玉数導出手段と、
前記ラウンド数特定手段によって特定されるラウンド数と、前記大当たり中出玉数導出手段によって導出される前記大当たり中の出玉数とに基づき、所定ラウンド数で獲得すると推定される平均出玉数を導出する平均出玉数導出手段とを備えた請求項３または４記載の遊技機データ管理装置。
【手続補正２】
【補正対象書類名】明細書
【補正対象項目名】０００９
【補正方法】変更
【補正の内容】
【０００９】
上記課題を解決するために本発明は、大当たりとなったときに行なえる単位遊技の回数であるラウンド数が複数設けられ、予め定められた各ラウンド数の選択確率に基づいて大当り毎にラウンド数を決定するように構成されたパチンコ遊技機を管理する遊技機データ管理装置であって、パチンコ遊技機の遊技データを台毎に取得する遊技データ取得手段と、遊技データ取得手段が取得した遊技データに基づいて、大当たり中の出玉数を導出する大当たり中出玉数導出手段と、遊技機の大当たり時に遊技が行なわれたラウンド数を特定するラウンド数特定手段と、ラウンド数特定手段によって特定されるラウンド数と、大当たり中出玉数導出手段によって導出される大当たり中の出玉数とに基づき、１ラウンドの単位遊技で遊技者が獲得すると推定される第１の平均出玉数を導出し、その第１の平均出玉数とパチンコ遊技機の理論上の平均ラウンド数とに基づいて、１回の大当たりにかかる第２の平均出玉数を導出する平均出玉数導出手段と、導出した第２の平均出玉数を出力するデータ出力手段と、を備えたことを主要な特徴とする。
【手続補正３】
【補正対象書類名】明細書
【補正対象項目名】００１８
【補正方法】変更
【補正の内容】
【００１８】
他の局面において課題を解決する本発明は、大当たりとなったときに行なえる単位遊技の回数であるラウンド数が複数設けられ、予め定められた各ラウンド数の選択確率に基づいて大当り毎にラウンド数を決定するように構成されたパチンコ遊技機を管理する遊技機データ管理装置であって、パチンコ遊技機の遊技データを台毎に取得する遊技データ取得手段と、パチンコ遊技機の大当たり時に遊技が行なわれたラウンド数を特定するラウンド数特定手段と、遊技データ取得手段が取得した遊技データと、パチンコ遊技機の理論上の大当たり確率とに基づいて、理論上の大当たり中以外の遊技データを導出する一方、遊技データ取得手段が取得した遊技データと、ラウンド数特定手段が特定したラウンド数と、パチンコ遊技機のラウンド抽選にかかる理論上の平均ラウンド数、或いは前記パチンコ遊技機の前記ラウンド抽選にかかる理論上の各ラウンド数の選択確率とに基づいて、理論上の大当たり中の遊技データを導出し、導出した理論上の大当たり中以外の遊技データと、理論上の大当たり中の遊技データとに基づいて、パチンコ遊技機の理論上の出玉率を導出する出玉率導出手段と、導出した出玉率を出力するデータ出力手段と、を備えたことを主要な特徴とする。
【手続補正４】
【補正対象書類名】明細書
【補正対象項目名】００２０
【補正方法】変更
【補正の内容】
【００２０】
好適な態様において、遊技データ取得手段は、パチンコ遊技機毎に遊技者に対して貸し出された玉数を表わす売上データを取得するものとして構成される。さらに、遊技データ取得手段が取得した遊技データと、売上データと、パチンコ遊技機の理論上の大当たり確率およびパチンコ遊技機のラウンド抽選にかかる理論上の平均ラウンド数、或いはパチンコ遊技機のラウンド抽選にかかる理論上の各ラウンド数の選択確率とに基づいて、理論上の大当たり確率かつ平均ラウンド数で大当たりが発生した場合の補正売上データを導出する売上データ導出手段と、売上データと遊技者が獲得した出玉数とに基づいて導出される景品データとの比率である割数を導出する割数導出手段とを設けることができる。割数導出手段は、理論上の大当たり中以外の遊技データと、理論上の大当たり中の遊技データと、補正売上データとに基づいて、割数を導出する。そのようにすれば、ラウンド数のバラつきに左右されない正確な割数を導出することができるため、ラウンド抽選を行なうパチンコ遊技機を適切に管理することが可能になる。